(57)【特許請求の範囲】
【請求項１】
中空の遮断かんの一端部内へ差し込む差込部を有したホルダ本体と、
この差込部の外周面に対して出入りし、前記遮断かんの内周面に圧接することによって前記差込部の一部を前記遮断かんの内周面に圧接させる固定部材と、
この固定部材を前記差込部の外周面に対して出入りさせる駆動機構と、
を備え、
前記固定部材が前記差込部の外周面から突出する複数の位置に前記駆動機構をロックするロック機構を設けた、
ことを特徴とする遮断機用差込固定式ホルダ。
【請求項２】
請求項１に記載の遮断機用差込固定式ホルダにおいて、
前記固定部材を、回動するカムとし、
前記駆動機構を、前記ホルダ本体内に支持され、前記カムを回動させる回動軸と、この回動軸の端部に螺合し、前記ホルダ本体の非差込部に周方向へ回動可能に配置された螺合部材とで構成し、
前記ロック機構は前記螺合部材を複数の回動位置にロックする、
ことを特徴とする遮断機用差込固定式ホルダ。
【請求項３】
請求項２に記載の遮断機用差込固定式ホルダにおいて、
前記螺合部材を、ボルトとした、
ことを特徴とする遮断機用差込固定式ホルダ。
【請求項４】
請求項２または請求項３に記載の遮断機用差込固定式ホルダにおいて、
前記螺合部材が、ロック状態で前記非差込部の外周面の内側に位置する、
ことを特徴とする遮断機用差込固定式ホルダ。
【発明の詳細な説明】
【技術分野】
【０００１】
この発明は、鉄道などの踏切に設置される遮断機に使用され、中空の遮断かんを取り付け、固定する遮断機用差込固定式ホルダに関するものである。
【背景技術】
【０００２】
従来の遮断機用ホルダは、遮断かんの一端部を挿入する保持筒と、この保持筒内に軸方向へ沿って収容された受け部材と、保持筒の外側に取り付けたナットに螺合し、受け部材を移動させるボルトとを備えた構成とされている。
この遮断機用ホルダは、ボルトを回動させて受け部材を保持筒の内周面側へ後退させ、遮断かんの一端部を保持筒と受け部材との間へ挿入した後、ボルトを回動させて受け部材を保持筒の中心側へ前進させ、遮断かんの一端部を受け部材と保持筒とで狭持することにより、遮断かんを保持筒内に固定する（例えば、特許文献１参照。）。
【０００３】
【特許文献１】特開平９−２４０４７４号公報
【発明の開示】
【発明が解決しようとする課題】
【０００４】
従来の遮断機用ホルダは、受け部材を移動させるボルトが、遮断かんを固定する部分としての保持筒の外側に突出し、見えているので、遮断かんを固定する部分の外観の見栄えが悪いなどの不都合があった。
そこで、遮断かんを取り付け、固定した状態で、遮断かんを取り付け、固定する部分の外側から見える突出物をなくすことにより、遮断かんを取り付け、固定する部分の外観の見栄えをよくすることのできる遮断機用ホルダが要望されている。
【０００５】
この発明は、上記した要望に応えるためになされたもので、遮断かんを取り付け、固定した状態で、遮断かんを取り付け、固定する部分の外側から見える突出物をなくすことにより、遮断かんを取り付け、固定する部分の外観の見栄えをよくすることのできる遮断機用差込固定式ホルダを提供するものである。
【課題を解決するための手段】
【０００６】
この発明は、以下のような発明である。
（１）  中空の遮断かんの一端部内へ差し込む差込部を有したホルダ本体と、この差込部の外周面に対して出入りし、前記遮断かんの内周面に圧接することによって前記差込部の一部を前記遮断かんの内周面に圧接させる固定部材と、この固定部材を前記差込部の外周面に対して出入りさせる駆動機構とを備え、前記固定部材が前記差込部の外周面から突出する複数の位置に前記駆動機構をロックするロック機構を設けた、ことを特徴とする遮断機用差込固定式ホルダ。
（２）（１）に記載の遮断機用差込固定式ホルダにおいて、前記固定部材を、回動するカムとし、前記駆動機構を、前記ホルダ本体内に支持され、前記カムを回動させる回動軸と、この回動軸の端部に螺合し、前記ホルダ本体の非差込部に周方向へ回動可能に配置された螺合部材とで構成し、前記ロック機構は前記螺合部材を複数の回動位置にロックすることを特徴とする。
（３）（２）に記載の遮断機用差込固定式ホルダにおいて、前記螺合部材を、ボルトとしたことを特徴とする。
（４）（２）または（３）に記載の遮断機用差込固定式ホルダにおいて、前記螺合部材が、ロック状態で前記非差込部の外周面の内側に位置することを特徴とする。
【発明の効果】
【０００７】
この発明によれば、ホルダ本体の差込部の外周面から固定部材を突出させることにより、固定部材を遮断かんの内周面に圧接させるとともに、差込部の一部を遮断かんの内周面に圧接させて差込部の外側に遮断かんを取り付け、固定したので、遮断かんを取り付け、固定した状態で、遮断かんを取り付け、固定する部分（ホルダ本体の差込部部分）の外側から見える突出物をなくすことができ、遮断かんを取り付け、固定する部分の外観の見栄えをよくすることができる。
また、差込部の外周面からの固定部材の突出量を調整することにより、内径の異なる複数の遮断かんを差込部に取り付け、固定することができる。
そして、固定部材が差込部の外周面から突出する複数の位置に駆動機構をロックするロック機構を設けたので、固定部材による取付、固定を緩まないように維持することができる。
さらに、固定部材を、回動するカムとし、駆動機構を、ホルダ本体内に支持され、カムを回動させる回動軸と、この回動軸の端部に螺合し、ホルダ本体の非差込部に周方向へ回動可能に配置された螺合部材とで構成し、ロック機構は螺合部材を複数の回動位置にロックするので、簡単で安価な構成により、所期の目的を達成することができる。
そして、螺合部材を、ボルトとしたので、Ｔ型ソケットレンチを使用することにより、ボルトを回動させたり、ロックさせることを容易に行うことができる。
さらに、螺合部材が、ロック状態で非差込部の外周面の内側に位置するので、遮断かんを取り付け、固定した状態で、ホルダ本体の外側から見える突出物をなくすことができ、遮断機用差込固定式ホルダの外観の見栄えをさらによくすることができる。
【発明を実施するための最良の形態】
【０００８】
以下、この発明の実施例を図に基づいて説明する。
【０００９】
図１はこの発明の一実施例である、遮断かん折損防止装置付遮断機用差込固定式ホルダの分解斜視図、図２（ａ）〜（ｃ）は図１に示した差込部の平面図、正面図、および、図２（ｂ）のＡ−Ａ線による断面図、図３（ａ），（ｂ）は図１に示した非差込部の正面図および右側面図、図４（ａ），（ｂ）は図１に示したジョイントの縦断面図および右側面図、図５（ａ），（ｂ）は図１に示した軸受けの縦断面図および右側面図、図６（ａ），（ｂ）は図１に示したカムの右側面図および背面図、図７（ａ），（ｂ）は図１に示した回動軸の左側面図および正面図、図８（ａ），（ｂ）は図１に示した丸歯金の平面図および右側面図、図９（ａ）〜（ｃ）は図１に示した各部品を組立状態の平面図、正面図および右側面図、図１０（ａ），（ｂ）は図９に示した遮断かん折損防止装置付遮断機用差込固定式ホルダの差込部を中空の遮断かんの一端部内へ差し込んだ状態の平面図および正面図、図１１（ａ）〜（ｈ）は動作説明図である。
なお、図４（ａ）は図４（ｂ）のＢ−Ｂ線による断面図であり、図５（ａ）は図５（ｂ）のＣ−Ｃ線による断面図である。
そして、図１１（ａ）〜（ｄ）は図９（ａ）のＤ−Ｄ線による断面図に相当し、図１１（ｅ）〜（ｈ）は図１０（ａ）のＥ−Ｅ線による断面図に相当する。
【００１０】
図１において、１１はホルダ本体を示し、中空の遮断かんの一端部内へ差し込む、例えば、内径が４１ｍｍで、外径が４５ｍｍの、金属製の差込部１２（図２参照）と、中空の遮断かん内へ差し込まない、例えば、内径が６９ｍｍで、外径が７６ｍｍの、金属製の非差込部１３（図３参照）と、この非差込部１３と差込部１２とを接続、連結する金属製のジョイント１４（図４参照）とで構成されている。
上記した差込部１２には、図２に示すように、軸方向の両端部分の、周方向の同じ位置に矩形状の開口１２ａ，１２ｂが設けられている。
上記した非差込部１３には、図３に示すように、差込部１２（図１または図２参照）側の端部に、後述するボルトを挿入、回動させるための周方向へ長い長孔１３ａが設けられている。
上記したジョイント１４は、図４に示すように、差込部１２（図１または図２参照）内へ差し込まれ、固定される、外径が差込部１２の内径とされた小径円板部１５と、非差込部１３（図１または図３参照）内へ差し込まれ、固定される、外径が非差込部１３の内径とされた大径円板部１６とが偏心させて連設され、大径円板部１６の偏心した位置に小径円板部１５に連なり、後述する回動軸の小径軸部を回動可能に支持する円形の軸支孔１７が設けられている。
なお、大径円板部１６の、小径円板部１５と反対側の軸支孔１７の開放端は、円錐面状に面取りされている。
【００１１】
図１において、２１は円板状の軸受けを示し、この軸受け２１は、例えば、金属製で、図５に示すように、外径が差込部１２（図１または図２参照）の内径とされて差込部１２内に開口１２ａを挟むように配置され、後述する回動軸の小径軸部を回動可能に支持する円形の軸支孔２１ａが偏心した位置に設けられている。
【００１２】
図１において、３１は固定部材としてのカムを示し、このカム３１は、例えば、金属製で、図６に示すように、半月板状に形成され、差込部１２（図１または図２参照）の外周面に対して出入りするものであり、後述する回動軸の小径軸部に取り付けるための取付孔３１ａと、小径軸部に固定するための取付孔３１ａに連通するねじ孔３１ｂとが設けられている。
【００１３】
図１において、４１は駆動機構を示し、例えば、金属製の回動軸４２（図７参照）と、この回動軸４２を回動させる、例えば、金属製の螺合部材としてのボルト４５とで構成されている。
上記した回動軸４２は、図７に示すように、ジョイント１４（図１または図４参照）および軸受け２１（図１または図５参照）に回動可能に支持される小径軸部４３と、この小径軸部４３に連設され、大径円板部１６の小径円板部１５（図１または図４参照）と反対側に当接する大径軸部４４とで構成されている。
そして、大径軸部４４には、軸と直交し、ボルト４５の雄ねじ部が螺合するねじ孔４４ａが設けられている。
【００１４】
図１において、５１はロック機構としての半円弧状の丸歯金を示し、この丸歯金５１は、例えば、金属製で、図８に示すように、外径が非差込部１３の内径とされ、内側に３つのロック溝５１ａ，５１ｂ，５１ｃが周方向に設けられている。
【００１５】
図１、図１０または図１１において、７１〜７３は中空の遮断かんを示し、一端部内へホルダ本体１１の差込部１２（図１または図２参照）が差し込まれるものであり、遮断かん７１の内径、外径よりも遮断かん７２の内径、外径が大きく、遮断かん７２の内径、外径よりも遮断かん７３の内径、外径が大きくされている。
【００１６】
次に、遮断かん折損防止装置付遮断機用差込固定式ホルダの組立の一例について説明する。
まず、丸歯金５１を非差込部１３内の所定位置に挿入、配置し、図９に示すように、丸歯金５１を溶接によって非差込部１３内に固定する。
そして、ジョイント１４の大径円板部１６を一部が突出するように図３（ａ）に示す非差込部１３の右端部内へ挿入し、図９に示すように、大径円板部１６を溶接によって非差込部１３内に固定する。
さらに、ジョイント１４の小径円板部１５を図２（ａ），（ｂ）に示す差込部１２内へ右側から挿入するとともに、治具を使用して小径円板部１５に対して差込部１２を位置決めした後、差込部１２を溶接によって小径円板部１５に固定し、治具を取り外す。
【００１７】
次に、回動軸４２の小径軸部４３をジョイント１４の軸支孔１７へ大径円板部１６側から挿入、挿通しながら、カム３１を差込部１２の開口１２ｂから差し込んで取付孔３１ａ内へ小径軸部４３を挿入、挿通し、軸受け２１を差込部１２内へジョイント１４と反対側から挿入して軸支孔２１ａ内へ小径軸部４３を挿入、挿通し、さらに、カム３１を差込部１２の開口１２ａから差し込んで取付孔３１ａ内へ小径軸部４３を挿入、挿通し、軸受け２１を差込部１２内へジョイント１４と反対側から挿入して軸支孔２１ａ内へ小径軸部４３を挿入、挿通し、大径軸部４４をジョイント１４に当接させる。
そして、取付小ねじを各カム３１のねじ孔３１ｂに螺合させることによって各カム３１を小径軸部４３の所定位置に仮位置決めした後、図９に示すように、各軸受け２１を溶接によって差込部１２内に固定するとともに、各カム３１を小径軸部４３に溶接によって固定する。
なお、取付小ねじは、各カム３１を小径軸部４３に固定した後、取り外す。
さらに、非差込部１３の長孔１３ａ内へボルト４５の軸部を挿入して大径軸部４４のねじ孔４４ａに螺合させることにより、図９に示す状態に組み立てることができる。
【００１８】
このようにして組み立てられた遮断かん折損防止装置付遮断機用差込固定式ホルダは、非差込部１３の端が補強板などを使用して遮断かん折損防止装置付遮断機に、溶接によって取付、固定される。
【００１９】
次に、遮断かん７１〜７３の取付、固定動作について説明する。
まず、図１１（ａ）に示すように、例えば、Ｔ型ソケットレンチを使用することにより、ボルト４５を非差込部１３から突出する方向へ回動させてボルト４５の下端を各ロック溝５１ａ〜５１ｃに係合しない状態にした後、ボルト４５を回動させて回動軸を回動させることにより、図１１（ｅ）に示すように、差込部１２の外周面から各カム３１が突出しない状態にする。
そして、遮断かん７１の一端内へ差込部１２を挿入することにより、図１０（ａ），（ｂ）に示す状態にする。
この図１０（ａ），（ｂ）に示す状態において、ボルト４５を非差込部１３の長孔１３ａに沿って回動させると、回動軸４２が回動することによって差込部１２の外周面から各カム３１が突出して遮断かん７１の内周面に圧接することにより、図１１（ｆ）に示すように、差込部１２の一部を遮断かん７１の内周面に圧接させる。
この図１１（ｆ）に示す状態において、ボルト４５を非差込部１３内へ進入する方向へ回動させ、図１１（ｂ）に示すように、ボルト４５の下端を丸歯金５１に当接させるとともに、ロック溝５１ａに係合させてロックすることにより、遮断かん７１を差込部１２の外側に取付、固定することができる。
このように、ボルト４５の下端を丸歯金５１のロック溝５１ａに係合させると、ボルト４５は、ロック溝５１ａによって回動を阻止される。
【００２０】
次に、遮断かん７２を取付、固定する場合は、まず、前述した操作を反対に行うことにより、図１１（ａ），（ｅ）に示すように、差込部１２から遮断かん７１を取り外す。
そして、図１０（ａ），（ｂ）に示すように、遮断かん７２の一端内へ差込部１２を挿入する。
このように、遮断かん７２の一端内へ差込部１２を挿入した状態で、ボルト４５を非差込部１３の長孔１３ａに沿って回動させると、回動軸４２が回動することによって差込部１２の外周面から各カム３１が突出して遮断かん７２の内周面に圧接することにより、図１１（ｇ）に示すように、差込部１２の一部を遮断かん７２の内周面に圧接させる。
この図１１（ｇ）に示す状態において、ボルト４５を非差込部１３内へ進入する方向へ回動させ、図１１（ｃ）に示すように、ボルト４５の下端を丸歯金５１に当接させるとともに、ロック溝５１ｂに係合させてロックすることにより、遮断かん７２を差込部１２の外側に取付、固定することができる。
このように、ボルト４５の下端を丸歯金５１のロック溝５１ｂに係合させると、ボルト４５は、ロック溝５１ｂによって回動を阻止される。
【００２１】
次に、遮断かん７３を取付、固定する場合は、まず、前述した操作を反対に行うことにより、図１１（ａ），（ｅ）に示すように、差込部１２から遮断かん７１または遮断かん７２を取り外す。
そして、図１０（ａ），（ｂ）に示すように、遮断かん７３の一端内へ差込部１２を挿入する。
このように、遮断かん７３の一端内へ差込部１２を挿入した状態で、ボルト４５を非差込部１３の長孔１３ａに沿って回動させると、回動軸４２が回動することによって差込部１２の外周面から各カム３１が突出して遮断かん７２の内周面に圧接することにより、図１１（ｈ）に示すように、差込部１２の一部を遮断かん７２の内周面に圧接させる。
この図１１（ｈ）に示す状態において、ボルト４５を非差込部１３内へ進入する方向へ回動させ、図１１（ｄ）に示すように、ボルト４５の下端を丸歯金５１に当接させるとともに、ロック溝５１ｃに係合させてロックすることにより、遮断かん７３を差込部１２の外側に取付、固定することができる。
このように、ボルト４５の下端を丸歯金５１のロック溝５１ｃに係合させると、ボルト４５は、ロック溝５１ｃによって回動を阻止される。
【００２２】
上述したように、この発明の一実施例によれば、ホルダ本体１１の差込部１２の外周面からカム３１を突出させることにより、カム３１を遮断かん７１〜７３の内周面に圧接させるとともに、差込部１２の一部を遮断かん７１〜７３の内周面に圧接させて差込部１２の外側に遮断かん７１〜７３を取り付け、固定したので、遮断かん７１〜７３を取り付け、固定した状態で、遮断かん７１〜７３を取り付け、固定する部分（ホルダ本体１１の差込部１２部分）の外側から見える突出物をなくすことができ、遮断かん７１〜７３を取り付け、固定する部分の外観の見栄えをよくすることができる。
また、差込部１２の外周面からのカム３１の突出量を調整することにより、内径の異なる複数の遮断かん７１〜７３を差込部１２に取り付け、固定することができる。
そして、カム３１が差込部１２の外周面から突出する複数の位置に駆動機構４１をロックする丸歯金５１を設けたので、カム３１による取付、固定を緩まないように維持することができる。
さらに、固定部材をカム３１とし、駆動機構を、ホルダ本体１１内に支持され、カム３１を回動させる回動軸４２と、この回動軸４２の端部に螺合し、ホルダ本体１１の非差込部１３に周方向へ回動可能に配置されたボルト４５とで構成し、丸歯金５１はボルト４５を複数の回動位置にロックするので、簡単で安価な構成により、所期の目的を達成することができる。
そして、螺合部材を、ボルト４５としたので、Ｔ型ソケットレンチを使用することにより、ボルト４５を回動させたり、ロックさせることを容易に行うことができる。
【００２３】
図１２はこの発明の他の実施例である、遮断かん折損防止装置付遮断機用差込固定式ホルダの駆動機構の一部を示す断面図であり、図１〜図１１と同一または相当部分に同一符号を付し、その説明を省略する。
この図１２は、図９の（ａ）に相当する断面図である。
そして、図示を省略した部分は、先の実施例と同様な構成とされている。
【００２４】
図１２において、４５Ａは駆動機構４１を構成するボルトを示し、このボルト４５Ａは、丸歯金５１のロック溝５１ａ，５１ｂ，５１ｃに係合するロック状態で非差込部１３の外周面の内側に位置する。
【００２５】
この実施例によれば、先の実施例と同様な効果が得られる。
そして、ボルト４５Ａが、ロック状態で非差込部１３の外周面の内側に位置するので、遮断かんを取り付け、固定した状態で、ホルダ本体１１の外側から見える突出物をなくすことができ、遮断かん折損防止装置付遮断機用差込固定式ホルダの外観の見栄えをさらによくすることができる。
【００２６】
上記した実施例では、遮断かん折損防止装置付遮断機に使用する遮断機用差込固定式ホルダを例にして説明したが、非差込部を長い筒状として、遮断かん折損防止装置を備えない遮断機に使用する遮断機用差込固定式ホルダであってもよい。
また、差込部１２の外周に滑り止めシート（滑り止め部材）を設けない例を示したが、差込部１２の外周に滑り止めシートを設けることにより、より強固に遮断かん７１〜７３を差込部１２に取り付け、固定することができる。
また、駆動機構４１の螺合部材をボルト４５，４５Ａとした例で説明したが、同様に機能する、六角穴付止めねじ、四角穴付止めねじ、すりわり付止めねじなどを使用することができる。
【図面の簡単な説明】
【００２７】
【図１】この発明の一実施例である、遮断かん折損防止装置付遮断機用差込固定式ホルダの分解斜視図である。
【図２】（ａ）〜（ｃ）は図１に示した差込部の平面図、正面図、および、図２（ｂ）のＡ−Ａ線による断面図である。
【図３】（ａ），（ｂ）は図１に示した非差込部の正面図および右側面図である。
【図４】（ａ），（ｂ）は図１に示したジョイントの縦断面図および右側面図である。
【図５】（ａ），（ｂ）は図１に示した軸受けの縦断面図および右側面図である。
【図６】（ａ），（ｂ）は図１に示したカムの右側面図および背面図である。
【図７】（ａ），（ｂ）は図１に示した回動軸の左側面図および正面図である。
【図８】（ａ），（ｂ）は図１に示した丸歯金の平面図および右側面図である。
【図９】（ａ）〜（ｃ）は図１に示した各部品を組立状態の平面図、正面図および右側面図である。
【図１０】（ａ），（ｂ）は図９に示した遮断かん折損防止装置付遮断機用差込固定式ホルダの差込部を中空の遮断かんの一端部内へ差し込んだ状態の平面図および正面図である。
【図１１】（ａ）〜（ｈ）は動作説明図である。
【図１２】この発明の他の実施例である、遮断かん折損防止装置付遮断機用差込固定式ホルダの駆動機構の一部を示す断面図である。
【符号の説明】
【００２８】
１１    ホルダ本体
１２    差込部
１２ａ  開口
１２ｂ  開口
１３    非差込部
１３ａ  長孔
１４    ジョイント
１５    小径円板部
１６    大径円板部
１７    軸支孔
２１    軸受け
２１ａ  軸支孔
３１    カム（固定部材）
３１ａ  取付孔
３１ｂ  ねじ孔
４１    駆動機構
４２    回動軸
４３    小径軸部
４４    大径軸部
４４ａ  ねじ孔
４５    ボルト（螺合部材）
４５Ａ  ボルト（螺合部材）
５１    丸歯金（ロック機構）
５１ａ  ロック溝
５１ｂ  ロック溝
５１ｃ  ロック溝
７１    遮断かん
７２    遮断かん
７３    遮断かん
【図１】
0004712770.tif 000002
【図２】
0004712770.tif 000003
【図３】
0004712770.tif 000004
【図４】
0004712770.tif 000005
【図５】
0004712770.tif 000006
【図６】
0004712770.tif 000007
【図７】
0004712770.tif 000008
【図８】
0004712770.tif 000009
【図９】
0004712770.tif 000010
【図１０】
0004712770.tif 000011
【図１１】
0004712770.tif 000012
【図１２】
0004712770.tif 000013